(57)【要約】【課題】蓋と容器本体とが接続された容器であって、容量を確保した容器を提供する。【解決手段】開口部が設けられ且つ周囲にねじ部を有する口部を含む容器本体と、前記開口部を開閉可能であり且つ閉塞した状態で前記口部のねじ部に対して螺合可能な蓋と、前記口部に回転可能に嵌められ、前記蓋に連結されるリングと、前記リングの回転を制御可能な回転制御部と、を備え、前記回転制御部は、前記リングに係止部を有するとともに、前記容器本体に前記係止部に係止可能な被係止部を有し、前記蓋が開放状態であるとき前記係止部と前記被係止部とが係止して前記リングの回転を阻止し、前記蓋が閉塞状態であるとき前記リングの回転を許容するように、前記蓋の開閉動作に連動してリングの回転の阻止と許容とを切り替えるように構成されている。【選択図】図４
2020196476.tif 000002
【特許請求の範囲】
【請求項１】
開口部が設けられ且つ周囲にねじ部を有する口部を含む容器本体と、
前記開口部を開閉可能であり且つ閉塞した状態で前記口部のねじ部に対して螺合可能な蓋と、
前記口部に回転可能に嵌められ、前記蓋に連結されるリングと、
前記リングの回転を制御可能な回転制御部と、
を備え、
前記回転制御部は、
前記リングに係止部を有するとともに、前記容器本体に前記係止部への係止が可能な被係止部を有し、
前記蓋が開放状態であるとき前記係止部と前記被係止部とが係止して前記リングの回転を阻止し、前記蓋が閉塞状態であるとき前記リングの回転を許容するように、前記蓋の開閉動作に連動して前記リングの回転の阻止と許容とを切り替えるように構成されている、容器。
【請求項２】
前記回転制御部は、
前記蓋の前記口部に対する螺合が解除された状態において、
前記蓋が開放状態であるとき、互いの係止により前記蓋の螺合方向と逆方向である螺合解除方向への前記リングの回転を阻止する第一係止部及び第一被係止部と、互いの係止により前記螺合方向への前記リングの回転を阻止する第二係止部及び第二被係止部と、
前記蓋が閉塞状態であるとき、前記第二係止部及び第二被係止部の係止を解除することで前記螺合方向への前記リングの回転を許容する係止解除部と、
を有する、請求項１に記載の容器。
【請求項３】
前記回転制御部は、前記蓋の前記口部に対する螺合が解除された状態において、前記蓋が開放状態から閉塞状態となったとき、前記係止部の前記被係止部に対する係止を解除する係止解除部を前記蓋に有する、請求項１又は請求項２に記載の容器。
【発明の詳細な説明】
【技術分野】
【０００１】
本発明は、開口部を有する容器本体と開口部を開閉可能な蓋とを備える容器に関する。
【背景技術】
【０００２】
従来、蓋と容器本体とが接続された容器として、内部に化粧料を収容可能なカップ状の第一部体、及び、第一部体の下部を囲むカバーである第二部体を含む本体と、本体を開閉可能な蓋体と、第一部体の上部を囲み且つ第一部体と蓋体とを接続する回転リングと、を備えるコンパクト容器が知られている（特許文献１）。この容器では、蓋体が回転リングを介して本体に開閉可能に接続されているため、開放した蓋体をテーブルなどに置く必要がない。
【先行技術文献】
【特許文献】
【０００３】
【特許文献１】特許第３５７１９３１号公報
【発明の概要】
【発明が解決しようとする課題】
【０００４】
前記容器では、第二部体が第一部体の外側に装着されていることから、容器のサイズが第二部体の分だけ大きくなるため、容量を確保することが困難であった。
【０００５】
本発明は、蓋と容器本体とが接続された容器であって、容量を確保した容器を提供することを目的とする。
【課題を解決するための手段】
【０００６】
本発明の容器は、開口部が設けられ且つ周囲にねじ部を有する口部を含む容器本体と、前記開口部を開閉可能であり且つ閉塞した状態で前記口部のねじ部に対して螺合可能な蓋と、前記口部に回転可能に嵌められ、前記蓋に連結されるリングと、前記リングの回転を制御可能な回転制御部と、を備え、前記回転制御部は、前記リングに係止部を有するとともに、前記容器本体に前記係止部への係止が可能な被係止部を有し、前記蓋が開放状態であるとき前記係止部と前記被係止部とが係止して前記リングの回転を阻止し、前記蓋が閉塞状態であるとき前記リングの回転を許容するように、前記蓋の開閉動作に連動して前記リングの回転の阻止と許容とを切り替えるように構成されている。
【０００７】
かかる構成によれば、この容器では、蓋が開放した状態において、蓋及びリングの容器本体に対する回転が阻止されるため、蓋が開放した状態から閉塞したとき、蓋と口部のねじ部との螺合が容易である。また、この容器では、蓋が閉塞した状態において、蓋と口部とは、螺合可能である、即ち、螺合した状態及び螺合が解除された状態のいずれの状態も取り得る。さらに、リングにより蓋と容器本体とが連結されるとともに、リングの形状が容器本体の口部に嵌る形状であることから、容器本体の口部以外の部分、即ち、容器本体の収容部分のサイズがリングにより制限されないため、リングによる蓋と容器本体との接続と、容量の確保とを両立することができる。
【０００８】
また、前記容器では、前記回転制御部は、前記蓋の前記口部に対する螺合が解除された状態において、前記蓋が開放状態であるとき、互いの係止により前記蓋の螺合方向と逆方向である螺合解除方向への前記リングの回転を阻止する第一係止部及び第一被係止部と、互いの係止により前記螺合方向への前記リングの回転を阻止する第二係止部及び第二被係止部と、前記蓋が閉塞状態であるとき、前記第二係止部及び第二被係止部の係止を解除することで前記螺合方向への前記リングの回転を許容する係止解除部と、を有してもよい。
【０００９】
かかる構成によれば、蓋が開放されているとき、第一係止部及び第一被係止部の係止や第二係止部及び第二被係止部の係止により、螺合方向及び螺合解除方向のいずれの方向においてもリングの回転が阻止されることから、リングの回転方向における位置が固定され、さらに、蓋と口部との螺合が解除された状態で蓋を閉塞することで、係止解除部により第二係止部と第二被係止部との係止が解除され、リングの螺合方向への回転が可能となるため、蓋を閉めて口部に対する螺合を行う際に、蓋と口部とのねじ位置がずれることがなく、容易に蓋を口部に螺合させることができる。
【００１０】
また、前記容器では、前記回転制御部は、前記蓋の前記口部に対する螺合が解除された状態において、前記蓋が開放状態から閉塞状態となったとき、前記係止部の前記被係止部に対する係止を解除する係止解除部を前記蓋に有してもよい。
【００１１】
かかる構成によれば、蓋と口部との螺合が解除された状態で蓋を開放状態から閉塞状態とすることで、係止解除部が係止部の被係止部に対する係止を解除できるため、蓋と口部との螺合が解除された状態で蓋を開放状態から閉塞状態とする動作に応じてリングの回転の阻止を確実に解除できる。
【発明の効果】
【００１２】
以上より、本発明によれば、蓋と容器本体とが接続された容器であって、容量を確保した容器を提供することができる。
【図面の簡単な説明】
【００１３】
【図１】図１は、本実施形態に係る容器の側面図であって、容器の蓋が開放し且つ蓋の螺合が解除された状態の前記容器の側面図である。
【図２】図２は、前記蓋が閉塞し且つ蓋の螺合が解除された状態の前記容器の側面図である。
【図３】図３は、前記蓋が閉塞し且つ蓋の螺合が完了した状態（蓋の密栓状態）を示す図であって、図３（ａ）は前記容器の背面図であり、図３（ｂ）は前記容器の側面図である。
【図４】図４は、前記容器の分解斜視図である。
【図５】図５は、前記容器の容器本体の正面図である。
【図６】図６は、図５から容器本体の位置を螺軸周りに９０°ずらした状態における容器本体の側面図である。
【図７】図７は、前記容器の容器本体の背面図である。
【図８】図８は、前記蓋が閉塞し且つ蓋の螺合が完了した状態（蓋の密栓状態）の前記容器の断面図である。
【図９】図９は、前記容器本体の平面図である。
【図１０】図１０は、前記容器の蓋の底面図である。
【図１１】図１１は、図１０のＸＩ−ＸＩ線における断面図である。
【図１２】図１２は、図１０のＸＩＩ−ＸＩＩ線における断面図である。
【図１３】図１３は、前記容器のリングの平面図である。
【図１４】図１４は、前記リングの底面図である。
【図１５】図１５は、図１４のＸＶ−ＸＶ線における断面図である。
【図１６】図１６は、図１４のＸＶＩ−ＸＶＩ線における断面図である。
【図１７】図１７は、図１の平面図である。
【図１８】図１８は、図２の平面図である。
【図１９】図１９は、図３（ｂ）の平面図である。
【図２０】図２０は、図１のＸＸ−ＸＸ線における断面図である。
【図２１】図２１は、図１のＸＸＩ−ＸＸＩ線における断面図である。
【図２２】図２２は、前記蓋の前記容器本体への螺合を説明するための模式図であって、図２２（ａ）は蓋が開放され且つ螺合が解除された状態を示す図であり、図２２（ｂ）は蓋が閉塞され且つ螺合が解除された状態を示す図であり、図２２（ｃ）は蓋が閉塞され且つ螺合が完了した状態（蓋の密栓状態）を示す図であり、図２２（ｄ）は蓋が閉塞され且つ螺合が解除途中の状態を示す図である。
【図２３】図２３は、変形例に係る容器における前記容器本体への螺合を説明するための模式図である。
【発明を実施するための形態】
【００１４】
以下、本発明の実施形態について、図１〜図２２を参照しつつ説明する。本実施形態に係る容器１は、クリームのような化粧剤や薬剤のような錠剤等の内容物を収容する高さの低い容器、いわゆる、ジャー容器であり、例えば、円柱状のジャー容器である。
【００１５】
容器１は、図１に示すように、開口部２４が設けられ且つ口部２１を含む容器本体２と、開口部２４を開閉可能な蓋３と、口部２１に回転可能に嵌められ且つ蓋３と連結されたリング４と、を備える。この容器１では、蓋３は、口部２１のねじ部である容器ねじ部２１６に螺合可能である。また、この容器１では、蓋３の口部２１への螺合が解除され且つ蓋３が開放された状態から、図２に示すように蓋３の口部２１への螺合が解除され且つ蓋３が閉塞された状態とした後、蓋３及びリング４が容器本体２に対して螺合方向に回転されることで、図３（ａ）、図３（ｂ）に示すように、蓋３の口部２１に対する螺合が完了し且つ蓋３が閉塞された状態、即ち、蓋３が密栓状態となる。
【００１６】
さらに、容器１は、図４に示すように、リング４の回転を制御可能な回転制御部５を備える。また、本実施形態の容器１は、蓋３とリング４とを接続する接続部６と、蓋３の内側に設けられたパッキン３４とを備える。なお、容器１を構成する容器本体２、蓋３、及び、リング４の材質は同じであっても異なっていてもよい。これらの材質は、例えば、プラスチックのような硬質樹脂である。以下、容器１の各構成について、口部２１を頂側に向けた状態で容器１を配置しているものとして説明する。
【００１７】
容器本体２は、内部に内容物を収容可能な入れ物である。さらに、容器本体２は、口部２１に加えて、口部２１と連続する本体部２２を含む。また、本実施形態の容器本体２は、本体部２２に設けられた容器延出部２３を少なくとも一つ含む。
【００１８】
口部２１は、容器本体２から内容物を取り出す際の出口である。また、口部２１は、略筒状である。口部２１は、角筒状や円筒状といった筒状の口部本体２１０と、周囲に一条ねじ又は２条以上の多条ねじを含む容器ねじ部２１６と、を有する。本実施形態の口部２１は、図５〜図７に示すように、容器ねじ部２１６よりも底側において、口部本体２１０の外周面２１００からそれぞれ径方向における外側に突出する第一口部突起２１１、第二口部突起２１２、第三口部突起２１３、第四口部突起２１４、及び、第五口部突起２１５等を有する。
【００１９】
以下、口部２１の延びる方向、即ち、口部２１の高さ方向（図５〜図７における上下方向）を単に「高さ方向」と称する。また、蓋３の開放状態において接続部６と対向する方向（図６における左方）を「前方」と称し、蓋３の開放状態において接続部６が位置する方向（図６における右方）を「後方」と称する。さらに、容器ねじ部２１６に対する蓋３の螺合方向（図４における時計回り方向）を単に「螺合方向」と称し、容器ねじ部２１６への蓋３の螺合を解除する方向（螺合方向と逆方向、図４における反時計回り方向）を単に「螺合解除方向」と称する。
【００２０】
本実施形態の口部本体２１０は、例えば、径が均一な円筒状である。口部本体２１０の頂側に位置する端縁２１０１は、口部２１の開口部２４を区画している。口部本体２１０の底側に位置する端縁２１０２は、本体部２２の頂側に位置する端縁２２６（例えば、本体部２２における肩部２２２の頂面２２４）と連結している。
【００２１】
本実施形態の容器ねじ部２１６は、４条の雄ねじ部、例えば、第一容器ねじ部２１６ａ、第二容器ねじ部２１６ｂ、第三容器ねじ部２１６ｃ、及び、第四容器ねじ部２１６ｄを含む（図５参照）。また、各容器ねじ部２１６ａ〜２１６ｄは、口部本体２１０の外周面２１００に、位相が９０°ずれた状態で配置されている。
【００２２】
第一口部突起２１１は、口部本体２１０の円周方向に沿って延びている。また、第一口部突起２１１は、口部本体２１０の前方領域において、外周面２１００から径外方向に突設されている。さらに、第一口部突起２１１は、口部本体２１０の外周面２１００において容器ねじ部２１６よりも高さ方向における底側に配置された環状領域２１１０と、容器ねじ部２１６とを連結する、例えば、環状領域２１１０と第二容器ねじ部２１６ｂとを連結する連結領域２１１１と、を含む。
【００２３】
環状領域２１１０は、口部本体２１０の円周方向に対して平行に形成されている。また、環状領域２１１０は、口部本体２１０の円周方向における略全域に延びている（図５〜図７参照）。
【００２４】
連結領域２１１１は、第二容器ねじ部２１６ｂの底側に位置する底面２１６０ｂと、環状領域２１１０の底側に位置する底面２１１０ｂとが連続的に繋がるように連結している（図５参照）。また、連結領域２１１１は、第二容器ねじ部２１６ｂの頂側に位置する頂面２１６０ａと、環状領域２１１０の頂側に位置する頂面２１１０ａとが連続的に繋がるように連結している。
【００２５】
連結領域２１１１の頂側に位置する面である連結面２１１１ａは、第二容器ねじ部２１６ｂに連続する。また、連続領域２１１１の連結面２１１１ａは、螺合方向に向かうにつれて、底側に傾斜する傾斜面である。
【００２６】
第二口部突起２１２は、突出方向から平面視したとき、口部２１の高さ方向に延びており、第二口部突起２１２の螺合解除側に位置する端面２１２０は、高さ方向に沿って延びている（図７参照）。また、第二口部突起２１２は、口部本体２１０の後方領域において、外周面２１００から径外方向に突設されている。さらに、第二口部突起２１２は、第一口部突起２１１の環状領域２１１０と第四容器ねじ部２１６ｄとの間を連結している。
【００２７】
第三口部突起２１３は、突出方向から平面視したとき、口部２１の高さ方向に延びている。また、第三口部突起２１３は、口部本体２１０の後方領域において、外周面２１００から径外方向に突設されている。第三口部突起２１３は、第一口部突起２１１の環状領域２１１０から頂側に延びている。さらに、第三口部突起２１３は、第二口部突起２１２よりも螺合解除方向側において、第二口部突起２１２と間隔をあけた状態で配置されている。また、第三口部突起２１３は、頂側において、容器ねじ部２１６と間隔をあけた状態で配置されている。第三口部突起２１３の頂側に位置する頂面２１３０は、螺合方向側の端部に位置し且つ頂側に凸形状となるよう湾曲した湾曲領域２１３０ａと、湾曲領域２１３０ａと連続し且つ口部本体２１０の円周方向に対して平行に形成された平坦領域２１３０ｂとを含む。
【００２８】
第四口部突起２１４は、突出方向から平面視したとき、高さ方向に延びている（図５参照）。また、第四口部突起２１４は、口部本体２１０の前方領域において、外周面２１００から径外方向に突設されている。なお、第四口部突起２１４は、口部本体２１０の直径方向において、第二口部突起２１２や第三口部突起２１３に対して対向して配置され第一口部突起２１１の環状領域２１１０よりも底側に配置されている。また、第四口部突起２１４は、環状領域２１１０の底側に位置する底面２１１０ｂと接続している。第四口部突起２１４の螺合方向側に位置する端面２１４０は、高さ方向に延びている。
【００２９】
第五口部突起２１５は、突出方向から平面視したとき、高さ方向に延びている。また、第五口部突起２１５は、口部本体２１０の前方領域において、外周面２１００から径外方向に突設されている。なお、第五口部突起２１５は、口部本体２１０の直径方向において、第二口部突起２１２や第三口部突起２１３に対して対向して配置されている。さらに、第五口部突起２１５は、第一口部突起２１１の環状領域２１１０よりも底側に配置され環状領域２１１０の底面２１１０ｂと接続している。また、第五口部突起２１５は、第四口部突起２１４よりも螺合方向側において、第四口部突起２１４と間隔をあけた状態で配置されている。第五口部突起２１５の口部本体２１０の外周面２１００からの突出寸法は、第四口部突起２１４の外周面２１００からの突出寸法よりも小さい。
【００３０】
本体部２２は、容器本体２における内容物を収容可能な部位である。本体部２２の形状は、頂側に開口が設けられた有底の略筒状である（図４参照）。具体的に、本体部２２は、底部２２０と、筒部２２１と、肩部２２２と、筒部２２１の内側に設けられた椀状部２２３を有する。また、本体部２２は、口部２１よりも底側に位置する。さらに、本体部２２では、肩部２２２が口部２１の底側の端縁（例えば、口部本体２１０の端縁２１０２）と連結している。本実施形態の本体部２２の筒部２２１は、口部２１よりも大径に形成されている。
【００３１】
底部２２０は、本体部２２の底を構成する部材である。底部２２０の形状は、板状であり、例えば、円板状である。
【００３２】
肩部２２２は、本体部２２の開口を区画する部材である。また、肩部２２２には、口部２１が立設される。さらに、肩部２２２の形状は、高さ方向から平面視したとき環形状を有する板状、例えば、円環形状を有する板状である。本実施形態の肩部２２２の頂側に位置する面である頂面２２４は、例えば、口部２１の基端側（底側）の部位の周囲に形成される平面である。肩部２２２の内縁２２２０は、口部２１の底側の端部（例えば、口部本体２１０の底側に位置する端縁２１０２）と接続されている。肩部２２２の内径は、口部本体２１０の外径と略同じである。肩部２２２の外径は、底部２２０の外径と略同じである。
【００３３】
筒部２２１は、本体部２２の側壁を構成する部位である。また、筒部２２１は、高さ方向に延びている。筒部２２１の形状は、角筒状や円筒状といった筒状であり、例えば、径が均一な円筒状である。また、筒部２２１では、底側の端部が底部２２０の外縁と接続され、頂側の端縁２２１０が肩部２２２の外縁２２２１と接続されている。
【００３４】
椀状部２２３は、図８に示すように、内容物を収容可能な椀状（カップ状）の部位である。また、椀状部２２３は、肩部２２２を介して筒部２２１に連続している。椀状部２２３の内周面は、口部２１の内周面と連続している。
【００３５】
容器延出部２３は、本体部２２から高さ方向に沿って頂側に延びる部材である。具体的に、容器延出部２３は、本体部２２の肩部２２２、例えば、肩部２２２の頂面２２４から、高さ方向において頂側に延びている。また、容器延出部２３は、肩部２２２の外縁部２２５に対して径方向における内側に配置されている。
【００３６】
本実施形態の容器本体２では、容器延出部２３は、螺合方向において間隔をあけて複数設けられている。容器延出部２３は、例えば、前後方向に直交する左右方向において略対向するように一対設けられる（図５参照）。一対の容器延出部２３は、口部２１の容器ねじ部２１６の螺軸２１６Ｃを挟んで略対向して配置されている。一対の容器延出部２３の形状は、いずれも同じであり、略板状である。例えば、容器延出部２３は、径内方向において弾性変形可能な板ばね状である。本実施形態の容器延出部２３では、高さ方向における頂側（先端側）に位置する先端部２３０が、先細りのテーパー形状を有する。具体的に、容器延出部２３では、先端部２３０の厚み（例えば、先端部２３０の板厚）は、高さ方向における底側（基端側）に位置する基端部２３１の厚みよりも小さい。
【００３７】
先端部２３０では、径方向外側に位置する部位が、テーパー形状となっている（図８参照）。具体的に、先端部２３０の外周面２３２は、高さ方向における先端縁に位置し且つ容器延出部２３の厚み方向に延びる平坦な平坦面２３２０と、この厚み方向における平坦面２３２０の径方向における内側及び外側にそれぞれ配置された一対の湾曲面２３２１、２３２２と、を含む。また、外周面２３２は、一対の湾曲面２３２１、２３２２のうち径方向における外側に位置する湾曲面２３２２からさらに外側に延びるとともに、底側に延び、且つ高さ方向に対して傾斜した傾斜面２３２３を含む。傾斜面２３２３は、高さ方向における先端側に位置する部位ほど、内側に位置するように傾斜している。
【００３８】
また、容器延出部２３は、図９に示すように、容器本体２を頂側から平面視したとき、長尺状である。さらに、容器延出部２３は、このように平面視したとき、例えば、容器延出部２３の長手方向における中心２３Ｃを通り、且つ、中心２３Ｃと容器ねじ部２１６の螺軸２１６Ｃとを結ぶ仮想線Ｌ１に直交する方向に延びる仮想線Ｌ２に対して、傾斜して配置されている。具体的に、このように平面視したとき、容器延出部２３の口部２１の螺合方向側に位置する端部２３３と螺軸２１６Ｃとの距離は、容器延出部２３の口部２１の螺合解除方向側に位置する端部２３４と螺軸２１６Ｃとの距離よりも大きい。また、容器延出部の螺合解除方向側に位置する端面２３５は、口部２１の半径方向に延びている。
【００３９】
蓋３は、容器本体２の開口部２４を閉塞した状態で、容器ねじ部２１６に対して螺合可能な部材である（図１、図４参照）。本実施形態の蓋３は、図１０に示すように、平板状の蓋本体部３０と、蓋本体部３０の主面のうち容器本体２と対向可能な第一蓋主面３０１から延びる少なくとも一つの蓋延出部３１を含む（図４参照）。さらに、蓋３は、第一蓋主面３０１の外縁から筒状に延びる蓋外筒部３２と、第一蓋主面３０１の外縁よりも内側から筒状に延びる蓋内筒部３３と、を含む。これにより、本実施形態の蓋３は、蓋本体部３０から、蓋延出部３１と、二重の筒状の部位である蓋外筒部３２及び蓋内筒部３３と、が延びた形状となっている。
【００４０】
蓋本体部３０は、容器本体２の開口部２４を閉塞可能な部位である。また、蓋本体部３０は、例えば、円板状である。蓋本体部３０の外径は、容器本体の本体部２２の外径と略同じである。
【００４１】
蓋外筒部３２は、蓋３の側壁を構成する部位である。また、蓋外筒部３２は、例えば、円筒状である。さらに、蓋外筒部３２は、蓋本体部３０の厚み方向における一方側に延びている。蓋外筒部３２の外径は、蓋本体部３０の外径と略同じである。
【００４２】
蓋内筒部３３は、口部２１と螺合可能な部位である。また、蓋内筒部３３は、蓋本体部３０の厚み方向における一方側に延びている。本実施形態の蓋内筒部３３は、円筒状であり、内面に容器ねじ部２１６に螺合可能な蓋ねじ部３３０を有する。なお、蓋内筒部３３の延出方向における寸法は、蓋外筒部３２の延出方向における寸法よりも小さい。蓋内筒部３３の筒軸方向は、蓋外筒部３２の筒軸方向と一致している。蓋内筒部３３の内径は、容器本体２の口部２１の外径よりも大きい。
【００４３】
蓋ねじ部３３０は、容器ねじ部２１６に対応する形状であり、例えば、４条の雌ねじ部である。蓋ねじ部３３０は、各容器ねじ部２１６ａ〜２１６ｄに螺合可能である。また、蓋ねじ部３３０は、容器ねじ部２１６と同じリードとなるように形成されている。
【００４４】
蓋延出部３１は、蓋３の径方向において弾性変形可能である。本実施形態の蓋３では、蓋延出部３１は、螺合方向において間隔をあけて複数設けられている。具体的に、蓋延出部３１は一対設けられる。
【００４５】
また、本実施形態の蓋３では、一対の蓋延出部３１の基端部３１５は、それぞれ、第一蓋主面３０１に加えて、蓋内筒部３３の外周面３３１に連結している。一対の蓋延出部３１の形状は、いずれも同じであり、略板状である。蓋延出部３１では、例えば、延出方向における延出側（先端側）の端部である先端部３１０が先細りのテーパー形状であり、それ以外の部分は板状である。
【００４６】
また、蓋延出部３１は、蓋本体部３０の厚み方向における一方側に延びている。蓋延出部３１の延出方向における寸法は、蓋外筒部３２や蓋内筒部３３の延出方向における寸法よりも大きい。なお、蓋延出部３１の厚み（例えば、蓋延出部３１の板厚）は、先端部３１０以外の部分では略均一であり、先端部３１０ではそれ以外の部分、例えば、基端部３１５と比べて小さい。
【００４７】
蓋延出部３１における先端部３１０では、図１１に示すように、径方向内側に位置する部位がテーパー形状となっている。本実施形態の先端部３１０の外周面３１１は、蓋延出部３１を螺合方向から視ると、蓋延出部３１の厚み方向に延びる平坦な先端平坦面３１２と、先端平坦面３１２の径方向における内側の端縁からさらに内側に延び且つ基端側に傾斜して延びる第一先端傾斜面３１３を含む。第一先端傾斜面３１３は、螺軸３３０Ａに対して傾斜している。具体的に、第一先端傾斜面３１３は、先端側に位置する部位ほど、外側に位置するように傾斜している。
【００４８】
また、図１２に示すように、蓋延出部３１をこの厚み方向（蓋延出部３１の厚み方向）から視ると、蓋延出部３１における先端部３１０の外周面は、螺合方向側の先端側に第二先端傾斜面３１４を含む。第二先端傾斜面３１４は、蓋延出部３１の延出方向において先端側に位置する部位ほど、螺合解除方向側に位置するように傾斜している。
【００４９】
本実施形態の蓋３では、一対の蓋延出部３１は、蓋ねじ部３３０の螺軸３３０Ａを挟んで略対向して配置されている（図１０参照）。また、一対の蓋延出部３１は、いずれも、蓋本体部３０の径方向における蓋外筒部３２と蓋内筒部３３との間に配置されている。即ち、本実施形態の蓋３では、蓋内筒部３３、蓋延出部３１、及び、蓋外筒部３２が、径方向における内側から順に並んでいる。なお、一対の蓋延出部３１は、いずれも、延出方向において蓋外筒部３２や蓋内筒部３３よりも外側まで延びている（図４参照）。
【００５０】
さらに、蓋３の第一蓋主面３０１を平面視すると、蓋延出部３１は、長尺状であり、例えば、蓋延出部３１の長手方向における中心３１Ｃを通り、且つ、中心３１Ｃと蓋ねじ部３３０の螺軸３３０Ａとを結ぶ仮想線Ｌ３に直交する方向に延びる仮想線Ｌ４に対して、傾斜して配置されている（図１０参照）。具体的に、このように平面視したとき、蓋延出部３１の螺合方向側の端部３１７と螺軸３３０Ａとの距離は、蓋延出部３１の螺合解除方向側の端部３１８と螺軸３３０Ａとの距離より大きい。
【００５１】
リング４は、容器本体２と蓋３とを連結する部材である（図４参照）。本実施形態のリング４は、例えば、略円環状である。リング４は、円環板状のリング本体部４０と、円筒状のリング外筒部４１と、リング外筒部４１よりも内側に位置する円筒状のリング内筒部４２と、を含む。さらに、リング４は、リング内筒部４２の内周面４２０から径方向における内側に延びるリング内筒延出部４４を有する。リング４は、容器本体２（例えば、容器本体２の肩部２２２）に載置可能である。
【００５２】
リング外筒部４１は、リング本体部４０の外縁からリング本体部４０の厚み方向における一方側に延びている。また、リング本体部４０の厚み方向におけるリング外筒部４１の一方側の端縁４１１は、容器本体２の肩部２２２に載置可能である。以下、リング外筒部４１の筒軸方向を、単に「筒軸方向」とも称する。
【００５３】
リング内筒部４２は、リング本体部４０の内縁から、リング本体部４０の厚み方向における両側に延びている。また、リング本体部４０の厚み方向におけるリング内筒部４２の一方側の端縁４２１は、容器本体２の肩部２２２に載置可能である。リング外筒部４１の筒軸方向は、リング内筒部４２の筒軸方向と一致している。
【００５４】
リング本体部４０には、図１３に示すように、リング本体部４０の厚み方向において貫通した貫通孔４３が少なくとも一つ設けられている。また、リング本体部４０は、蓋３の第一蓋主面３０１に対向可能なリング第一面４０１と、図１４に示すように、容器本体２の肩部２２２の頂面２２４に対向可能なリング第二面４０２と、を有する。さらに、リング本体部４０は、リング第二面４０２の貫通孔４３の螺合方向側で隣り合う位置から、筒軸方向における一方側に延びるリング本体延出部４５を有する。
【００５５】
本実施形態のリング本体部４０では、リング第一面４０１は筒軸方向における他方側に位置し、リング第二面４０２は筒軸方向における一方側に位置する。また、本実施形態のリング本体部４０では、貫通孔４３は、螺合方向において間隔をあけて複数設けられている。具体的に、貫通孔４３は、一対設けられる。一対の貫通孔４３は、リング外筒部４１の筒軸４１Ａを挟んで略対向して配置されている。一対の貫通孔４３の形状は、いずれも同じである。
【００５６】
貫通孔４３は、リング本体部４０を平面視したとき、長尺状であり、例えば、貫通孔４３の長手方向における中心４３Ｃを通り、且つ、リング外筒部４１の径方向に直交する方向に延びる仮想線Ｌ５に対して、傾斜して配置されている（図１３参照）。具体的に、このように平面視したとき、貫通孔４３の口部２１の螺合方向側に位置する端部４３０とリング外筒部４１の筒軸４１Ａとの距離は、貫通孔４３の口部２１の螺合解除方向側に位置する端部４３１と筒軸４１Ａとの距離よりも大きい。
【００５７】
本実施形態のリング４では、リング本体延出部４５は、螺合方向において間隔をあけて複数設けられている（図１４参照）。具体的に、リング本体延出部４５は、一対設けられる。一対のリング本体延出部４５は、リング内筒部４２の筒軸４２Ａを挟んで略対向して配置されている。一対のリング本体延出部４５の形状は、いずれも同じである。リング本体延出部４５は、リング外筒部４１の内周面４１０から延びている。
【００５８】
また、リング本体延出部４５は、貫通孔４３を区画するリング本体部４０の区画面４０３のうち螺合解除方向側に位置する区画領域４０４から筒軸方向の一方側に延びる延出面４５０と、延出面４５０の径方向における内側の端縁からリング外筒部４１の内周面４１０まで傾斜して延びる面、例えば、湾曲して延びる湾曲面４５１と、を含む。延出面４５０は、リング４の径方向及び螺合方向のいずれにも直交する面であり、例えば、平坦な面である。湾曲面４５１は、リング４の径方向及び螺合方向のいずれにも傾斜する面であり、例えば、径方向における内側に凸な形状となるよう湾曲した面である。なお、湾曲面４５１の代わりに、リング４の径方向及び螺合方向のいずれにも傾斜する平坦な傾斜面を採用してもよい。
【００５９】
リング本体延出部４５は、リング４の径方向において、リング内筒部４２の外周面４２２と離間している。即ち、リング本体延出部４５とリング内筒部４２の外周面４２２との間には隙間Ｃが設けられている。
【００６０】
本実施形態のリング４では、リング内筒延出部４４は一対設けられる。一対のリング内筒延出部４４は、リング内筒部４２の筒軸４２Ａを挟んで略対向して配置されている。一対のリング内筒延出部４４の形状は、いずれも同じである。リング内筒延出部４４は、この延出方向から平面視したとき、図１５に示すように、長尺状である。また、リング本体部４０を平面視したとき、リング内筒延出部４４は、長尺状であり、例えば、円弧状である（図１３参照）。リング内筒延出部４４は、リング４における接続部６に近い側（図１３における右方、以下、「後方」と称する）に位置する第一リング内筒延出部４４１と、リング４における接続部６から遠い側（図１３における左方、即ち、前方）に位置する第二リング内筒延出部４４２と、を含む。本実施形態のリング内筒延出部４４では、図１６に示すように、第一リング内筒延出部４４１が、第二リング内筒延出部４４２よりも頂側に配置されている。
【００６１】
接続部６は、蓋３がリング４に対して変位（接離）できるように、蓋３とリング４とを接続する部材であり、例えば、ヒンジ機構である（図４参照）。本実施形態の接続部６は、可撓性を有する帯状の部材である。この接続部６は、長手方向における中央部が長手方向における両端部よりも幅の狭い（短手方向における寸法の小さい）形状を有する。接続部６の短手方向における外縁は、長手方向における中央に位置する部位ほど内側に位置するように、滑らかに湾曲して内側に凹んでいる。
【００６２】
なお、本実施形態の接続部６は、蓋３の口部２１への螺合が解除され且つ蓋３が開放している状態から閉塞している状態に移行する際に、蓋３が閉塞する寸前となったとき、幅方向（接続部６の短手方向）に真っ直ぐに延びた状態となることがある。これにより、蓋３の前方の部位は、リング４から浮いた状態となる。この場合、蓋３の螺合が解除されていて蓋３が開きやすいことが容器１の外観から判断できる。そのため、この状態で容器１を持ち運んで蓋３が開いてしまい容器１から内容物がこぼれることを防ぐことができる。
【００６３】
一方、この接続部６は、蓋３の口部２１への螺合が完了し且つ蓋３が閉塞している状態、即ち、蓋３の密栓状態において（図３、図４参照）、幅方向における中央に位置する領域が、幅方向おける両端に位置する領域と比べて外側に位置するよう湾曲して撓んでいる。また、この接続部６は、蓋３の口部２１への螺合が解除され且つ蓋３が開放された状態において（図１参照）、図２、図３の状態において内側を向いていた接続部６の内面６０が外側に露出した状態、即ち、裏返った状態となる。これにより、蓋３は開放された状態で保持される。
【００６４】
パッキン３４は、容器１内における密閉性を向上させるための部材である（図４参照）。本実施形態のパッキン３４は、樹脂製のシート等であり、例えば、ポリエチレン製の発泡シートである。
【００６５】
回転制御部５は、リング４に係止部７を有すると共に、容器本体２に被係止部８を有する。この回転制御部５は、図１７、図２０、及び図２１に示すように、蓋３が開放状態であるとき係止部７と被係止部８とが係止してリング４の回転を阻止している。また、回転制御部５は、図１８に示すように、蓋３が閉塞状態であるとき、リング４の回転を許容する。このように、回転制御部５は、蓋３の開閉動作に連動してリング４の回転の阻止と許容とを切り替えるように構成されている。
【００６６】
本実施形態の回転制御部５は、第一係止部７１としてリング４の第二リング内筒延出部４４２を有すると共に、第一被係止部８１として容器本体２の第四口部突起２１４を有する（図２０参照）。また、回転制御部５は、第二係止部７２としてリング４のリング本体延出部４５を有すると共に、第二被係止部８２として容器本体２の容器延出部２３を有する（図１７参照）。さらに、回転制御部５は、係止部７の被係止部８に対する係止を解除する係止解除部９を蓋３に有する。本実施形態の回転制御部５は、係止解除部９として蓋延出部３１を有する。
【００６７】
以下、蓋３により容器本体２を開閉時における、各構成の位置やリング４の回転の制御状態について、具体的に説明する。
【００６８】
容器１では、蓋３が開放され且つ口部２１に対する螺合が解除されたとき（図１、図１７参照）、図２２（ａ）に示すように、頂側からの平面視において、容器本体２の容器延出部２３（第二被係止部８２）が、リング４の貫通孔４３と重なる位置に配置される。このとき、容器延出部２３は、螺合解除方向においてリング本体延出部４５（第二係止部７２）と隣り合うため、容器延出部２３とリング本体延出部４５との係止により、螺合方向（図２２（ａ）における時計回り方向）へのリング４の回転が阻止される。この係止は、例えば、容器延出部２３の螺合解除方向側に位置する端面２３５と、リング本体延出部４５の延出面４５０との係止である。
【００６９】
本実施形態の容器１では、容器延出部２３の端面２３５が口部２１の半径方向に延び、リング本体延出部４５の延出面４５０がリング内筒部４２の半径方向に延びる面であり、これら半径方向が一致しているため、容器延出部２３の端面２３５とリング本体延出部４５の延出面４５０とが面当たりする。そのため、容器延出部２３の端面２３５とリング本体延出部４５の延出面４５０とが安定的に係止する。
【００７０】
このとき、リング４の前方側（図１における左側）の部位は、容器本体２の肩部２２２に載置されている。また、リング４の第二リング内筒延出部４４２（第一係止部７１）は、第四口部突起２１４（第一被係止部８１）に螺合解除方向（図２０における反時計回り方向）において隣り合うため、第二リング内筒延出部４４２と第四口部突起２１４との係止により、螺合解除方向へのリング４の回転が阻止される。この係止は、例えば、第二リング内筒延出部４４２の螺合解除方向側に位置する端面４４２０と、第四口部突起２１４の端面２１４０との係止である。
【００７１】
なお、このとき、リング４の後方側（図１における右側）の部位は、容器本体２の肩部２２２から浮いた状態で配置されている。これは、リング４の第一リング内筒延出部４４１が、図７に示した第三口部突起２１３の頂面２１３０の平坦領域２１３０ｂに乗り上げているためである。また、このとき、本実施形態の容器１では、接続部６が撓んだ状態となっている。
【００７２】
さらに、このとき、リング４の第一リング内筒延出部４４１は、第二口部突起２１２に螺合方向において隣り合うため第一リング内筒延出部４４１と第二口部突起２１２との係止により、螺合方向（図２１における時計回り方向）へリング４を回転させるにはある程度大きな力が必要となる。この係止は、例えば、第一リング内筒延出部４４１の螺合方向側に位置する端面４４１０と、第二口部突起２１２の端面２１２０との係止である。なお、第一リング内筒延出部４４１の螺合方向側に位置する端面４４１０と、第二口部突起２１２の端面２１２０との係止は、第一リング内筒延出部４４１が第二口部突起２１２を乗り越え可能（第一リング内筒延出部４４１が第二口部突起２１２の径方向内側を通過するように乗り越え可能）な程度の係止であり、螺合方向側への回転を阻止するものではない。第二口部突起２１２の端面２１２０は、螺合方向に向かうにつれ径方向に突出する傾斜面もしくは湾曲面であってもよい。
【００７３】
容器１では、蓋３が開放された状態から、口部２１に対する螺合が解除されたままで蓋３が閉塞されると（図２、図１８参照）、図２２（ｂ）に示すように、蓋延出部３１（係止解除部９）は、容器延出部２３をリング本体延出部４５（第二係止部７２）との係止を解除するように撓ませる。なお、蓋３が閉塞された状態とは、蓋延出部３１（係止解除部９）が容器延出部２３（第二被係止部８２）に到達した状態から、さらに蓋３を押し込むことで容器延出部２３をリング本体延出部４５（第二係止部７２）との係止を解除するように撓ませた状態である。例えば、蓋延出部３１の先端部３１０は、リング４の貫通孔４３を通過して、容器延出部２３の高さ方向における先端部２３０に当たり、この先端部２３０に当たった状態でさらに下降することにより、容器延出部２３の先端部２３０を径方向における内側に撓ませる。このように、蓋３の螺合が解除した状態から蓋３を閉めると、蓋延出部３１は、リング４の貫通孔４３内に挿入されるため、リング４の貫通孔４３を区画する区画面４０３に蓋延出部３１の第二先端傾斜面３１４が案内されて底側に旋回移動して、容器延出部２３に当たることにより、確実に容器延出部２３を撓ませることができる。
【００７４】
また、本実施形態の容器１では、蓋延出部３１の先端部３１０がテーパー形状である、即ち、第一先端傾斜面３１３を有することにより（図４参照）、蓋延出部３１が容器延出部２３に当たったときに、容器延出部２３が蓋延出部の第一先端傾斜面３１３に案内されて、スムーズに径方向における内側に撓む。また、容器延出部２３の先端部２３０も同様にテーパー形状である。
【００７５】
口部２１に対する螺合が解除されたままで蓋３が閉塞されると、撓んだ容器延出部２３がリング本体延出部４５に対して径方向において離間することにより、容器延出部２３とリング本体延出部４５との係止が解除されるため、螺合方向へのリング４の回転は許容される（図２２（ｂ）参照）。一方、蓋３が閉塞されても、第二リング内筒延出部４４２（第一係止部７１）と第四口部突起２１４（第一被係止部８１）との位置関係は変わらず、これらの係止が維持されているため、螺合解除方向へのリング４の回転は阻止されたままとなる。
【００７６】
なお、この状態においても、第一リング内筒延出部４４１と第二口部突起２１２との係止も維持されている
【００７７】
さらに、蓋延出部３１により容器延出部２３とリング本体延出部４５との係止が解除された状態で、リング４が螺合方向へ回転されると、蓋３は、口部２１に螺合することにより、例えば、各容器ねじ部２１６ａ〜２１６ｄの位置に対応して、口部２１の４か所の位置で、口部２１に螺合することで、容器本体２の開口部２４を密栓する。即ち、蓋３が閉塞した状態でリング４を螺合方向に回転させると、蓋３は、口部２１に螺合して容器本体２の開口部２４を密栓する。この蓋３の螺合方向への回転に伴い、図２２（ｃ）に示すように、蓋延出部３１が容器延出部２３から離れるため、容器延出部２３は撓んだ状態から元の状態に戻る、即ち、頂側からの平面視において、容器本体２の容器延出部２３が、リング４の貫通孔４３と重なり可能な位置、即ち、貫通孔４３と螺合方向において並ぶ位置に戻る。
【００７８】
このように、容器１では、リング４の螺合方向への回転により、蓋３が容器本体２に対して回転されるため、図３（ａ）、図３（ｂ）に示すように蓋３が閉塞され且つ容器本体２に対する螺合が完了した状態となる。
【００７９】
また、蓋３が閉塞され且つ容器本体２に対する螺合が完了した状態から、リング４が螺合解除方向へ回転すると、リング本体延出部４５が螺合解除方向へと移動して、容器延出部２３と螺合解除方向において隣り合うように配置され、リング４がさらに螺合解除方向へ回転すると、リング本体延出部４５の湾曲面４５１が、図２２（ｄ）に示すように、容器延出部２３の螺合方向側の端部２３３に当たる。この状態で、リング４が螺合解除方向に移動することで、リング本体延出部４５の湾曲面４５１が、容器延出部２３を径方向内側に撓ませて、蓋延出部３１は、径方向において容器延出部２３と隣り合う位置に戻る（図２２（ｂ）参照）。これにより、蓋３の螺合が解除される。また、容器ねじ部２１６のねじ長さ及び蓋ねじ部３３０のねじ長さを、この位置に戻るまで容器ねじ部２１６と蓋ねじ部３３０との螺合が解除されないねじ長さとすることで、確実に蓋開放状態でのリング４の回転を防ぐことができる。
【００８０】
本実施形態の容器１では、容器延出部２３の螺合方向側に位置する端部２３３（口部２１の螺軸２１６Ｃからの寸法が大きい側の端部２３３）は、径方向において湾曲面４５１と近い側に位置するため、リング本体延出部４５の湾曲面４５１が、この端部２３３に当たりやすい。
【００８１】
なお、蓋３の螺合が解除される際に、第一リング内筒延出部４４１は、第二口部突起２１２を乗り越えて、第一リング内筒延出部４４１の端面４４１０が第二口部突起２１２の端面２１２０と係止する状態となる。また、第二リング内筒延出部４４２は、第五口部突起２１５を乗り越えて、第二リング内筒延出部４４２の端面４４２０が第四口部突起２１４の端面２１４０と係止する状態となる。このように、リング内筒延出部４４が、第二口部突起２１２や第五口部突起２１５を乗り越えることで、容器１の使用者にクリック感を与えることができる。
【００８２】
以上の容器１によれば、リング４が容器本体２の口部２１に嵌る形状を有することにより、リング４は口部２１で容器本体２に連結するため、容器本体２における口部２１以外の部分（本実施形態の容器本体２における本体部２２）、即ち、容器本体２における内容物を収容する部分の形状やサイズが、リング４の形状やサイズ等により制限されない。さらに、容器１では、リング４により蓋３と容器本体２とが連結されるため、リング４による蓋３と容器本体２との接続と、容器１における容量の確保とを両立することができる。この容器１では、蓋３と容器本体２とが連結されているため、一の容器１の蓋３を他の容器１の容器本体２に誤って取り付けることを防止でき、これにより、例えば、調剤薬局等での処方ミスを防ぐことができる。しかも、蓋３が開口部２４を閉塞した状態において口部２１に螺合することで、容器１における気密性を確保できる。
【００８３】
本実施形態の容器１では、蓋３が開放されているとき、第二係止部７２と第二被係止部８２との係止（本実施形態の回転制御部５では、容器延出部２３とリング本体延出部４５との係止）により螺合方向におけるリング４の回転が阻止されると共に、第一係止部７１と第一被係止部８１との係止（本実施形態の回転制御部５では、リング４の第二リング内筒延出部４４２と第四口部突起２１４との係止）により螺合解除方向におけるリング４の回転が阻止されている。即ち、係止部７と被係止部８との係止により、螺合方向及び螺合解除方向におけるいずれの方向においても、リング４の回転方向における位置が固定されている。さらに、容器１では、蓋３を閉めることでリング４の螺合方向への回転が可能となる。従って、蓋３を閉めて口部２１に対する螺合を行う際に、蓋３と口部２１とのねじ位置がずれることがなく、容易に蓋３を口部２１に螺合させることができる。
【００８４】
また、本実施形態の容器１では、蓋３を閉めることで、係止解除部９（本実施形態の回転制御部５では、蓋延出部３１）が、係止部７の被係止部８に対する係止（例えば、第二係止部７２の第二被係止部８２に対する係止（本実施形態の回転制御部５では、容器延出部２３とリング本体延出部４５との係止））を解除できるため、蓋３を閉める動作に応じてリング４の回転の阻止を確実に解除できる。
【００８５】
さらに、本実施形態の容器１では、回転阻止のための構造である回転制御部５が有する係止部７（例えば、リング本体延出部４５や第二リング内筒延出部４４２）、被係止部８（例えば、容器延出部２３や第四口部突起２１４）、係止解除部９（例えば、蓋延出部３１）が、蓋３を閉じた状態において容器１の外部に露出しない。そのため、容器１の見栄えが良く、回転制御部５が破損しにくい。
【００８６】
本実施形態の容器１では、容器延出部２３が撓み可能であり、且つ、頂側から平面視すると螺合方向において長尺状である、即ち、螺合方向における寸法が大きいことから、蓋３の開け閉めやリング４の回転により、容器延出部２３が螺合方向や螺合解除方向の力を受けても破損しにくい。
【００８７】
さらに、本実施形態の容器１では、第二係止部７２及び第二被係止部８２が、それぞれ一対設けられるとともに、口部２１の容器ねじ部２１６の螺軸２１６Ｃ等を挟んで略対向して配置されているため、リング４の螺合方向や螺合解除方向における回転の規制を安定的に行うことができる。
【００８８】
尚、本発明の容器は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８９】
上記実施形態の容器１では、回転制御部５は、係止部７として第一係止部７１（例えば、リング４の第二リング内筒延出部４４２）や第二係止部７２（例えば、リング本体延出部４５）を有し、被係止部８として第一被係止部８１（例えば、第四口部突起２１４）や第二被係止部８２（例えば、容器延出部２３）を有するとともに、係止解除部９（例えば、蓋延出部３１）を有していたが、これに限定されず、回転制御部５は異なる構成を有してもよい。
【００９０】
例えば、図２３に示すように、第一係止部７１及び第二係止部７２がリング４の貫通孔４３の螺合方向側及び螺合解除方向側にそれぞれ設けられたリング本体延出部４５であり、第一被係止部８１及び第二被係止部８２がいずれも容器延出部２３であることが考えられる。この場合、貫通孔４３の螺合解除方向側に位置する第一リング本体延出部４５３は、貫通孔４３の区画面４０３のうち螺合解除方向側に位置する区画領域４０５から筒軸方向の一方側に延びる延出面４５０を有する。また、貫通孔４３の螺合方向側に位置する第二リング本体延出部４５４は、貫通孔４３の区画面４０３のうち螺合方向側に位置する区画領域４０６から筒軸方向の一方側に延びる延出面４５２を有する。このような構成であれば、容器延出部２３の螺合解除方向側に位置する端面２３５が延出面４５０と隣り合い、容器延出部２３の螺合方向側に位置する端面２３６が延出面４５２と隣り合うため、容器延出部２３とリング本体延出部４５の係止により、リング４の螺合方向における回転を阻止するとともに、リング４の螺合解除方向における回転を阻止することができる。
【００９１】
上記実施形態の第二係止部７２や第二被係止部８２は、一対ずつ設けられていたが、一つ乃至３つ以上の複数ずつ設けられてもよい。また、上記実施形態の第二係止部７２や第二被係止部８２は、口部２１の容器ねじ部２１６の螺軸２１６Ｃ等を挟んで略対向して配置されていたが、配置箇所についても限定されない。
【００９２】
上記実施形態の容器１は高さの低いジャー容器であったが、高さの高い瓶であってもよく、扁平なコンパクト容器であってもよい。また、上記実施形態の筒部２２１と肩部２２２と椀状部２２３は一体であったが、別体で形成されていてもよい。
【符号の説明】
【００９３】
１…容器、２…容器本体、３…蓋、４…リング、５…回転制御部、６…接続部、７…係止部、８…被係止部、９…係止解除部、２１…口部、２２…本体部、２３…容器延出部、２３Ｃ…中心、２４…開口部、３０…蓋本体部、３１…蓋延出部、３１Ｃ…中心、３２…蓋外筒部、３３…蓋内筒部、３４…パッキン、４０…リング本体部、４１…リング外筒部、４１Ａ…筒軸、４２…リング内筒部、４２Ａ…筒軸、４３…貫通孔、４３Ｃ…中心、４４…リング内筒延出部、４５…リング本体延出部、６０…内面、７１…第一係止部、７２…第二係止部、８１…第一被係止部、８２…第二被係止部、２１０…口部本体、２１１…第一口部突起、２１２…第二口部突起、２１３…第三口部突起、２１４…第四口部突起、２１５…第五口部突起、２１６…容器ねじ部、２１６ａ…第一容器ねじ部（容器ねじ部）、２１６ｂ…第二容器ねじ部（容器ねじ部）、２１６ｃ…第三容器ねじ部（容器ねじ部）、２１６ｄ…第四容器ねじ部（容器ねじ部）、２１６Ｃ…螺軸、２２０…底部、２２１…筒部、２２２…肩部、２２３…椀状部、２２４…頂面、２２５…外縁部、２２６…端縁、２３０…先端部、２３１…基端部、２３２…外周面、２３３、２３４…端部、２３５、２３６…端面、３０１…第一蓋主面、３１０…先端部、３１１…外周面、３１２…先端平坦面、３１３…第一先端傾斜面、３１４…第二先端傾斜面、３１５…基端部、３１７…端部、３１８…端部、３３０…蓋ねじ部、３３０Ａ…螺軸、３３１…外周面、４０１…リング第一面、４０２…リング第二面、４０３…区画面、４０４、４０５…区画領域、４１０…内周面、４１１…端縁、４２０…内周面、４２１…端縁、４２２…外周面、４３０，４３１…端部、４４１…第一リング内筒延出部、４４２…第二リング内筒延出部、４５０、４５２…延出面、４５１…湾曲面、４５３…第一リング本体延出部、４５４…第二リング本体延出部、２１００…外周面、２１１０…環状領域、２１１０ａ…頂面、２１１０ｂ…底面、２１１１…連結領域、２１１１ａ…連結面、２１２０…端面、２１３０…頂面、２１３０ａ…湾曲領域、２１３０ｂ…平坦領域、２１４０…端面、２１６０ａ…頂面、２１６０ｂ…底面、２２１０…端縁、２２２０…内縁、２２２１…外縁、２３２０…平坦面、２３２１、２３２２…湾曲面、２３２３…傾斜面、４４１０、４４２０…端面、Ｃ…隙間、Ｌ１、Ｌ２、Ｌ３、Ｌ４、Ｌ５…仮想線
【図１】
2020196476.tif 000003
【図２】
2020196476.tif 000004
【図３】
2020196476.tif 000005
【図４】
2020196476.tif 000006
【図５】
2020196476.tif 000007
【図６】
2020196476.tif 000008
【図７】
2020196476.tif 000009
【図８】
2020196476.tif 000010
【図９】
2020196476.tif 000011
【図１０】
2020196476.tif 000012
【図１１】
2020196476.tif 000013
【図１２】
2020196476.tif 000014
【図１３】
2020196476.tif 000015
【図１４】
2020196476.tif 000016
【図１５】
2020196476.tif 000017
【図１６】
2020196476.tif 000018
【図１７】
2020196476.tif 000019
【図１８】
2020196476.tif 000020
【図１９】
2020196476.tif 000021
【図２０】
2020196476.tif 000022
【図２１】
2020196476.tif 000023
【図２２】
2020196476.tif 000024
【図２３】
2020196476.tif 000025